(57)【要約】【課題】複数のデータを日時情報に基づいて管理できるように記録媒体に記録する記録装置及び記録プログラムの提供。【解決手段】メディアやデジタルカメラなどから画像データや音声データなどの複数のデータを読み取るデータ入力手段と、データのヘッダに記述された情報などを参照して、各々のデータの日時情報（画像データの場合は撮影日時、音声データの場合は録音日時など）を抽出する日時情報抽出手段と、各々のデータのファイル名を、予め定められたルールに従って日時情報に基づいて採番されたファイル名にリネームするリネーム手段と、リネームしたデータを記録するデータ記録手段とを少なくとも備え、記録媒体には複数のデータが日時情報に基づいた順番で記録されるため、入力したデータの種別やファイル名にかかわらず画像データや音声データを日時順で管理できるように記録にすることができる。【選択図】図１１
2006024306.tif 000002
【特許請求の範囲】
【請求項１】
複数のデータを入力するデータ入力手段と、
前記複数のデータの各々から、該データに関連付けられた日時情報を抽出する日時情報抽出手段と、
前記複数のデータの各々のファイル名を、前記日時情報に基づいて採番されたファイル名にリネームするリネーム手段と、
少なくとも前記リネームされた前記複数のデータを記録するデータ記録手段と、を少なくとも備えることを特徴とする記録装置。
【請求項２】
前記日時情報抽出手段は、前記データのヘッダ情報を参照して前記日時情報を抽出することを特徴とする請求項１記載の記録装置。
【請求項３】
前記日時情報は、前記データが画像データである場合は撮影日時であり、前記データが音声データの場合は録音日時であることを特徴とする請求項１又は２に記載の記録装置。
【請求項４】
前記複数のデータは、静止画像データ、動画データ及び音声データの中から選択される複数の種別のデータであり、
前記データ記録手段は、前記複数の種別のデータを１つのフォルダ内にまとめて記録することを特徴とする請求項１乃至３のいずれか一に記載の記録装置。
【請求項５】
更に、前記画像データに基づいて他の形式のデータを生成するデータ生成手段を備え、
前記データ記録手段は、前記リネームされたデータと前記生成されたデータとを記録することを特徴とする請求項１乃至４のいずれか一に記載の記録装置。
【請求項６】
前記他の形式のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項５記載の記録装置。
【請求項７】
コンピュータを、
複数のデータを入力するデータ入力手段、
前記複数のデータの各々から、該データに関連付けられた日時情報を抽出する日時情報抽出手段、
前記複数のデータの各々のファイル名を、前記日時情報に基づいて採番されたファイル名にリネームするリネーム手段、
少なくとも前記リネームされた前記複数のデータを記録するデータ記録手段、として機能させることを特徴とする記録プログラム。
【請求項８】
前記日時情報抽出手段は、前記データのヘッダ情報を参照して前記日時情報を抽出することを特徴とする請求項７記載の記録プログラム。
【請求項９】
前記日時情報は、前記データが画像データである場合は撮影日時であり、前記データが音声データの場合は録音日時であることを特徴とする請求項７又は８に記載の記録プログラム。
【請求項１０】
前記複数のデータは、静止画像データ、動画データ及び音声データの中から選択される複数の種別のデータであり、
前記データ記録手段は、前記複数の種別のデータを１つのフォルダ内にまとめて記録することを特徴とする請求項７乃至９のいずれか一に記載の記録プログラム。
【請求項１１】
コンピュータを、更に、
前記画像データに基づいて他の形式のデータを生成するデータ生成手段として機能させ、
前記データ記録手段は、前記リネームされたデータと前記生成されたデータとを記録することを特徴とする請求項７乃至１０のいずれか一に記載の記録プログラム。
【請求項１２】
前記他の形式のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項１１記載の記録プログラム。
【発明の詳細な説明】
【技術分野】
【０００１】
本発明は、複数のデータを記録する記録装置及び記録プログラムに関する。
【背景技術】
【０００２】
近年、写真に関連する様々なサービスが提供されるようになってきている。例えば、ユーザがデジタルカメラで写真を撮影し、写真の静止画像データや動画データを記録したデジタルカメラやデジタルカメラ用メディアをミニラボ等の写真店に持ち込むと、写真店では記録装置を用いてデジタルカメラやメディアから静止画像データや動画データを読み取り、ＣＤ−ＲやＤＶＤ−Ｒなどの記録媒体に書き込むサービスが行われている（例えば、下記特許文献１など）。また、デジタルカメラで撮影して得られた静止画像データや動画データを、ＤＶＤプレーヤやＤＶＤレコーダなどの画像再生機器で再生可能なＶｉｄｅｏ−ＣＤ形式やＤＶＤ−Ｖｉｄｅｏ形式などのデータに変換してＣＤ−ＲやＤＶＤ−Ｒなどの記録媒体に書き込むサービスも行われている。
【０００３】
【特許文献１】特開平５−１８２３７３号公報（第４−６頁、第３図）
【発明の開示】
【発明が解決しようとする課題】
【０００４】
写真撮影で得られた複数の画像データは、その特質から、撮影順などの日時順で管理されることが好ましい。ここで、デジタルカメラでは、撮影して得られた画像データに対して、通し番号を用いて生成したファイル名が付与されるため、１つのデジタルカメラやメディアに記録された画像データをそのままのファイル名で記録媒体に記録すれば、これらの画像データは撮影順で管理することができる。
【０００５】
しかしながら、複数のデジタルカメラやメディアから画像データを入力する場合、ファイル名はデジタルカメラ毎又はメディア毎に独自に生成されるため、これらの画像データをファイル名の降順又は昇順に並べても撮影順とはならず、従って複数の画像データを撮影順で管理することはできない。また、ファイル名が重複している場合には画像データを記録できないか、若しくは画像データを上書きしてしまうため、記録媒体に複数の画像データをまとめて記録することすらできない。また、上記問題は、複数のデジタルカメラやメディアから画像データを入力する場合に限らず、一旦画像データを記録した記録媒体に更にデジタルカメラやメディアから画像データを追加する場合にも同様に生じる。
【０００６】
また、ファイル名が画像データの種別を判別するための記号と通し番号とで構成される場合、複数の種別の画像データ（例えば、静止画像データと動画データ）をファイル名の降順又は昇順に並べるとこれらの画像データは種別毎に分かれてしまうため、やはり複数の種別が混在する画像データを撮影順で管理することはできない。更に、このような問題は画像データに限らず、音声データなどの他の種別のデータに対しても同様に生じ、また、画像データと音声データとが混在する場合などでも同様に生じる。
【０００７】
本発明は、上記問題点に鑑みてなされたものであって、その主たる目的は、複数のデータを日時情報に基づいて管理できるように記録媒体に記録することができる記録装置及び記録プログラムを提供することにある。
【課題を解決するための手段】
【０００８】
上記目的を達成するため、本発明の記録装置は、複数のデータを入力するデータ入力手段と、前記複数のデータの各々から、該データに関連付けられた日時情報を抽出する日時情報抽出手段と、前記複数のデータの各々のファイル名を、前記日時情報に基づいて採番されたファイル名にリネームするリネーム手段と、少なくとも前記リネームされた前記複数のデータを記録するデータ記録手段と、を少なくとも備えるものである。
【０００９】
本発明においては、前記日時情報抽出手段は、前記データのヘッダ情報を参照して前記日時情報を抽出することができる。
【００１０】
また、本発明においては、前記日時情報は、前記データが画像データである場合は撮影日時とし、前記データが音声データの場合は録音日時とすることができる。
【００１１】
また、本発明においては、前記複数のデータは、静止画像データ、動画データ及び音声データの中から選択される複数の種別のデータであり、前記データ記録手段は、前記複数の種別のデータを１つのフォルダ内にまとめて記録する構成とすることができる。
【００１２】
また、本発明においては、更に、前記画像データに基づいて他の形式のデータを生成するデータ生成手段を備え、前記データ記録手段は、前記リネームされたデータと前記生成されたデータとを記録する構成とすることもできる。
【００１３】
また、本発明においては、前記他の形式のデータは、Ｖｉｄｅｏ−ＣＤ形式、ＤＶＤ−Ｖｉｄｅｏ形式、又は、ＨＤＴＶ形式のいずれかの形式のデータであることが好ましい。
【００１４】
また、本発明の記録プログラムは、コンピュータを、複数のデータを入力するデータ入力手段、前記複数のデータの各々から、該データに関連付けられた日時情報を抽出する日時情報抽出手段、前記複数のデータの各々のファイル名を、前記日時情報に基づいて採番されたファイル名にリネームするリネーム手段、少なくとも前記リネームされた前記複数のデータを記録するデータ記録手段、として機能させるものである。
【００１５】
本発明においては、コンピュータを、更に、前記画像データに基づいて他の形式のデータを生成するデータ生成手段として機能させ、前記データ記録手段は、前記リネームされたデータと前記生成されたデータとを記録する構成とすることができる。
【００１６】
このように、本発明の構成によれば、記録装置では、静止画像データや動画データ、音声データなどの複数のデータが、日時情報に基づいて採番されたファイル名にリネームされて記録されるため、読み取ったデータの種別やファイル名にかかわらず、複数のデータを日時順で管理できるように記録することができる。
【発明の効果】
【００１７】
以上説明したように、本発明の記録装置及び記録プログラムによれば、読み取ったデータの種別やファイル名にかかわらず、複数のデータを日時順で管理できるように記録することができる。
【００１８】
その理由は、記録装置では、メディアやデジタルカメラなどから画像データや音声データなどの複数のデータを読み取り、各々のデータのヘッダ情報や管理ファイルなどを参照して撮影日時や録音日時などの日時情報を抽出し、各々のデータのファイル名を予め定められたルールに従って日時情報に基づいて採番されたファイル名にリネームした後、記録媒体に記録するからである。
【発明を実施するための最良の形態】
【００１９】
本発明の記録装置は、その好ましい一実施の形態において、メディアやデジタルカメラなどから画像データや音声データなどの各種データを読み取るデータ入力手段と、読み取った画像データや音声データのヘッダに記述された情報や画像データや音声データに関する情報が記述された管理ファイルなどを参照して、各々のデータに関連付けられた日時情報（画像データの場合は撮影日時、音声データの場合は録音日時など）を抽出する日時情報抽出手段と、各々のデータのファイル名を、予め定められたルールに従って日時情報に基づいて採番されたファイル名にリネームするリネーム手段と、必要に応じて、読み取った画像データに基づいて、該画像データのデータサイズを縮小した縮小画像データや、ＤＶＤプレーヤやＤＶＤレコーダ、ＨＤＤレコーダ、ゲーム機などの画像再生機器で再生可能なＶｉｄｅｏ−ＣＤ形式、ＤＶＤ−Ｖｉｄｅｏ形式、ＨＤＴＶ形式のデータを生成するデータ生成手段と、リネームしたデータと必要に応じて生成したデータとを記録媒体に記録するデータ記録手段と、を少なくとも備えるものであり、記録媒体には複数のデータが日時情報に基づいた順番で記録されるため、入力したデータの種別やファイル名にかかわらず、画像データや音声データを日時順で管理できるように記録にすることができる。
【実施例】
【００２０】
上記実施形態について詳細に説明すべく、本発明の一実施例に係る記録装置及び記録プログラムについて、図１乃至図１２を参照して説明する。図１は、本実施例に係る記録装置の構成を模式的に示す外観図であり、図２乃至図５は、そのバリエーションを示す図である。また、図６は、記録装置の機能を示すブロック図であり、図７は、本実施例の記録装置を用いたデータの記録手順を示すフローチャート図である。また、図８は、記録媒体のデータ記録領域を示す図であり、図９は記録媒体（ＣＤ−Ｒ）の構造を模式的に示す図である。また、図１０は、デジタルカメラにおけるデータの記録構造を示す図であり、図１１は、本実施例の並び替え及びリネームの方法を模式的に示す図であり、図１２は、記録媒体におけるデータの記録構造を示す図である。なお、本明細書及び特許請求の範囲における論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００２１】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１０を介してサーバ１１に接続するネットワーク接続部等と、ＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４と、ボタン、キーボード、マウス等の操作手段６及びＬＣＤ、ＣＲＴ等の表示手段５とを備えている。
【００２２】
また、記録装置１に備える主な手段をブロック図で示すと図６のようになり、メディア装填部２や機器接続部３、ネットワーク接続部などを用いて画像データ（静止画像データ、動画データ、画像情報を含むデータなどを総称して画像データと呼ぶ。）や音声データ（音声のみのデータ、音声情報が付加されたデータなどを総称して音声データと呼ぶ。）などの複数のデータを入力するデータ入力手段１２と、画像データや音声データのヘッダに記述された情報や、画像データや音声データに関する情報が記述された管理ファイルなどを参照して、各々のデータに関連付けられた日時情報（画像データの場合は撮影日時、作成日時、変更日時など、音声データの場合は録音日時、作成日時、変更日時など。以下では、その代表として、画像データの場合は撮影日時、音声データの場合は録音日時とする。）を抽出する日時情報抽出手段１３と、各々のデータのファイル名を、予め定められたルールに従って日時情報に基づいて採番されたファイル名にリネームするリネーム手段１４と、必要に応じて、画像データのデータサイズを縮小したサムネイル画像データやスクリーンネイル画像データなどの縮小画像データを作成したり、画像データをＤＶＤプレーヤやＤＶＤレコーダ、ＨＤＤレコーダ、ゲーム機等の画像再生機器で読み取り可能なＶｉｄｅｏ−ＣＤ形式、ＤＶＤ−Ｖｉｄｅｏ形式、ＨＤＴＶ形式などのデータを生成するデータ生成手段１５と、リネーム手段１４でリネームされたデータや、必要に応じてデータ生成手段１５で生成されたデータを記録媒体９などの記録手段に記録するデータ記録手段１６と、表示手段５及び操作手段６とを備えている。
【００２３】
なお、図１では記録装置１として写真店やコンビニエンスストアなどの店舗に設置される無人端末（キオスク）を示しているが、記録装置１の形態は任意であり、例えば、図２に示すようにパーソナルコンピュータなどのコンピュータ機器としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしてもよいし、演算処理機能を備えたカーナビゲーション機器などとすることもできる。また、上記各手段は記録装置１にハードウェアとして構成されていてもよいが、少なくとも、コンピュータを、日時情報抽出手段１３、リネーム手段１４、データ記録手段１６として機能させる記録プログラムとして構成し、該記録プログラムを記録装置１にインストールして実行する構成としてもよい。
【００２４】
次に、上記構成の記録装置１（記録プログラム）を用いて記録媒体９に複数のデータを記録する手順について、図７のフローチャート図を参照して説明する。なお、以下では、２つのメディア８からデータを入力する場合について記載するが、データの入力元やその数、組み合わせ等は任意である。また、入力するデータとして、静止画像データと動画データと音声データの３つの種別のデータを用いるが、データの種別も任意であり、少なくとも複数のデータが入力される構成であればよい。また、以下では、複数のデータを記録媒体９に記録する場合について示すが、ハードディスクなどの他の記録手段に記録する構成としてもよい。
【００２５】
まず、ステップＳ１０１で、記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。この記録媒体９としてどのような記録媒体を用いてもよいが、データの不正なコピーを未然に防止するために、所定の識別情報が書き込まれている記録媒体のみを用いることもでき、その場合は、ステップＳ１０２で、記録媒体９の特定の領域から識別情報を読み出す。その際、上記識別情報は適正な記録媒体にデータを記録するために設けるものであるため、識別情報の記録場所や中身が容易に知られてしまうと識別情報自体もコピーされてしまい、適正にデータを記録することができなくなってしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。
【００２６】
ここで、一般的な記録媒体の構造について、図９を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。
【００２７】
なお、この識別情報の具体的な構成は任意であり、上記以外の案内溝変調（ＡＴＩＰ）であるリードイン開始時間、最大リードアウト開始可能時間等も適宜設定することで識別情報として利用することができ、記録媒体が正規に作成されたものか否かを簡単かつ確実に識別することができる。
【００２８】
次に、記録媒体９の所定の領域に上記識別情報が記録されている場合は、ステップＳ１０３で、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ１０４で、データ入力手段１２を用いて、デジタルカメラ７やメディア８、サーバ１１から複数のデータを読み取る。その際、表示手段５や操作手段６を用いて記録媒体に書き込みを行うデータを選択してもよい。
【００２９】
なお、ここでは上述したように２つのメディア８からデータを入力するものとし、各々のメディアには図１０に示すようなデータが記録されているものとする。具体的には、第１のメディアには、図１０（ａ）に示すように、４つの静止画像データ（DSC00001.jpg、DSC00002.jpg、DSC00003.jpg、DSC00006.jpg）と２つの動画データ（DSC00004.mpeg1、DSC00005.mpeg1）が記録され、第２のメディアには、図１０（ｂ）に示すように、２つの静止画像データ（DSC00101.jpg、DSC00102.jpg）と２つの音声データ（DSC00103.mp3、DSC00104.mp3）が記録され、各々のデータには該データに関連付けられた日時情報（静止画像データと動画データは撮影日時、音声データは録音日時）が記述されている。なお、ここでは静止画像データとしてｊｐｅｇ、動画データとしてｍｐｅｇ１、音声データとしてｍｐ３の形式のデータを例示しているが、各々のデータの形式は任意であり、静止画像データとして、ｂｍｐ、ｇｉｆ、ｔｉｆｆ、ｅｘｉｆ（Exchangeable image file format）など、動画データとしてａｖｉ、ｍｏｖなど、音声データとしてｗａｖなどの形式のデータを用いてもよい。
【００３０】
次に、ステップＳ１０５で、日時情報抽出手段１３を用いて、読み取ったデータから日時情報を抽出する。この日時情報は、各々のデータのヘッダに記述された情報やこれらのデータに関する情報が記述された管理ファイルなどを参照して抽出することができる。例えば、ｅｘｉｆデータの場合は、ｅｘｉｆ情報の中に撮影日時などの日時情報の項目が含まれているため、その項目の情報を読み取れば日時情報を抽出することができる。また、情報ファイルが写真業界で推奨されている専用のファイル（例えば、拡張子がｐｖｍのファイル）の場合、この形式のファイルには、撮影時に記録される画像ヘッダ情報などが記録されているため、その中から日時情報を抽出することができる。
【００３１】
次に、ステップＳ１０６で、リネーム手段１４を用いて、日時情報抽出手段１３で抽出した日時情報に基づいて読み取った各種データを並び替え、各々のデータのファイル名を、予め定められたルールに従って日時情報に基づいて採番されたファイル名にリネームする。例えば、図１０（図１１（ａ））の構成の場合、撮影日時又は録音日時順にデータを並び替えると、図１１（ｂ）に示すような順番になり、ファイル名の生成ルールを、CCYYMMDDxxxxxx（CC：データの種別（ここではオリジナルデータを意味する”OR”）、YYMMDD：書き込み年月日を特定する数字（ここでは03/04/16とする）、xxxxxx：シーケンシャル番号）とした場合には、並び替えたデータは、図１１（ｃ）に示すように、OR030416000001からOR030416000010の連番のファイル名となる。
【００３２】
次に、ステップＳ１０７で、必要に応じて、データ生成手段１５を用いて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３３】
次に、ステップＳ１０８で、必要に応じて、データ生成手段１５を用いて、読み取った画像データに基づいて動画データを生成した後、必要に応じてその動画データにＢＧＭとなる音楽が記録された音楽データを合成し、合成された動画データをＤＶＤプレーヤやＤＶＤレコーダ、ＨＤＤレコーダ、ゲーム機等の画像再生機器３０で再生可能なデータ（Ｖｉｄｅｏ−ＣＤ形式、ＤＶＤ−Ｖｉｄｅｏ形式、ＨＤＴＶ形式などのデータ）に変換する。上記画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３４】
次に、ステップＳ１０９で、各種データを記録媒体９に書き込むが、その際、画像再生機器ではデータを読み込むことができる領域が限定されるため、まず、データ記録手段１６を用いて、生成された画像再生機器用データや関連付けファイル等（以下、これらを総称して画像再生機器用データ群と呼ぶ。）記録媒体９の内側に書き込み、必要に応じてセッションをクローズした後、ステップＳ１１０で、リネームされたオリジナルデータや必要に応じて縮小画像データや情報ファイル、ＢＧＭとして使用する音楽データなど（以下、これらを総称してコンピュータ機器用データ群と呼ぶ。）を画像再生機器用データ群の外側に書き込み処理を終了する。
【００３５】
上記手順で作成された記録媒体９は、図８に示すように各種情報が記録され、ディスク型記録媒体９の最も内側の論理アドレス領域外には、所定の形式（好ましくはファイル名式でないデータ形式）の識別情報が記録され、その外側の論理アドレス領域の内側には、画像再生機器用データ群が記録され、更にその外側にはオリジナルデータを含むコンピュータ機器用データ群が記録される。
【００３６】
また、上記手順で作成された記録媒体９には、例えば、図１２に示すように各種データが記録され、”PS_Roll”フォルダ内には、日時情報を参照してリネームされた静止画像データや動画データ、音声データなどのオリジナルデータが記録され、必要に応じて記録されたサムネイル画像データ、スクリーンネイル画像データ、情報ファイル（info.txt）、”APPL”フォルダ内のスライドショープログラム、スライドショーの設定ファイル、自動起動ファイル（Autorun.inf）などでコンピュータ機器用データ群が構成され、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで画像再生機器用データ群が構成される。
【００３７】
なお、上記オリジナルデータなどの記録に際して、データ管理装置などにバックアップした場合における管理を容易にするために、予め定められたルールに従ってフォルダを構成し、そのフォルダにユニークな名称を付与することもできる。例えば、図１２に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）を作成し、そのフォルダ内にリネームした各種データを記録すれば更にデータの管理を容易にすることができる。
【００３８】
このように、本実施例の記録装置１では、画像データや音声データなどの複数のデータを読み取り、読み取った画像データや音声データから日時情報を抽出し、各々のデータのファイル名を、日時情報に従って採番されたファイル名にリネームした後、縮小画像データや画像再生機器用データなどと共に記録媒体９に記録するため、画像データや音声データを日時順に管理できるように記録媒体に記録することができる。
【００３９】
なお、上記実施例では、静止画像データと動画データと音声データとで構成されるデータを記録する場合について記載したが、本発明は上記実施例に限定されるものではなく、これら以外の他の種別のデータを含む場合に関しても、同様に適用することができる。
【図面の簡単な説明】
【００４０】
【図１】本発明の一実施例に係る記録装置の外観構成を示す図である。
【図２】本発明の一実施例に係る記録装置の他の外観構成を示す図である。
【図３】本発明の一実施例に係る記録装置の他の外観構成を示す図である。
【図４】本発明の一実施例に係る記録装置の他の外観構成を示す図である。
【図５】本発明の一実施例に係る記録装置の他の外観構成を示す図である。
【図６】本発明の一実施例に係る記録装置の構成を示すブロック図である。
【図７】本発明の一実施例に係る記録装置を用いたデータの記録手順を示すフローチャート図である。
【図８】本発明の一実施例に係る記録媒体におけるデータの記録領域を示す図である。
【図９】記録媒体の構造を模式的に示す図である。
【図１０】デジタルカメラにおけるデータの記録構造を示す図である。
【図１１】並び替え及びリネームの方法を模式的に示す図である。
【図１２】本発明の一実施例に係る記録媒体におけるデータの記録構造を示す図である。
【符号の説明】
【００４１】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  通信ネットワーク
１１  サーバ
１２  データ入力手段
１３  日時情報抽出手段
１４  リネーム手段
１５  データ生成手段
１６  データ記録手段
１００  ポリカーボネート基板
１０１  有機色素層
１０２  反射層
１０３  保護層
【図１】
2006024306.tif 000003
【図２】
2006024306.tif 000004
【図３】
2006024306.tif 000005
【図４】
2006024306.tif 000006
【図５】
2006024306.tif 000007
【図６】
2006024306.tif 000008
【図７】
2006024306.tif 000009
【図８】
2006024306.tif 000010
【図９】
2006024306.tif 000011
【図１０】
2006024306.tif 000012
【図１１】
2006024306.tif 000013
【図１２】
2006024306.tif 000014